【事件の表示】
　上記当事者間の登録第５３３９７９８号商標の登録取消審判事件について、次のとおり審決する。
【結　論】
　本件審判の請求は、成り立たない。
　審判費用は、請求人の負担とする。
【理　由】
１　本件商標
　本件登録第５３３９７９８号商標（以下「本件商標」という。）は、「ＹＯＵ＆Ｉ　ＡＴＰ」の文字を表してなり、平成２２年３月１日に登録出願、第３類「化粧品，洗顔料，せっけん類」を指定商品として、同年７月２３日に設定登録され、現に有効に存続しているものである。
　なお、本件審判の請求の登録は、平成２６年８月１１日である。
　
２　請求人の主張
　請求人は、「本件商標の登録は、これを取り消す、審判費用は被請求人の負担とする。」との審決を求め、その理由として、本件商標は、その指定商品について、継続して３年以上日本国内において商標権者、専用使用権者又は通常使用権者のいずれもが使用した事実が存しないから、その登録は商標法第５０条第１項の規定により取り消されるべきものである旨主張している。
　なお、請求人は、後記３の被請求人の答弁に対し、何ら弁駁していない。
　
３　被請求人の答弁
　被請求人は、結論同旨の審決を求めると答弁し、その理由を要旨以下のように述べ、証拠方法として、乙第１号証ないし乙第５６号証を提出した。　
（１）ＹＯＵ＆Ｉ株式会社が通常使用権者であることの証明について
　商標権者とＹＯＵ＆Ｉ株式会社（以下「ＹＯＵ＆Ｉ社」という。）は、代表取締役「菅原豊子」と本店の住所「大阪市中央区南船場四丁目７番６号」が同じ法人である。
　そして、ＹＯＵ＆Ｉ社は主に商品の製造を行い、商標権者はＹＯＵ＆Ｉ社が製造した商品を譲渡（販売）している。
　さらに、商標権者は、本件商標をＹＯＵ＆Ｉ社に商品「化粧品，洗顔料，せっけん類」について使用することを許諾している（乙第３号証）。
　したがって、ＹＯＵ＆Ｉ社は、本件商標の通常使用権者である。
（２）商品「サンスクリーンゲル（日焼け止めゲルクリーム）」の写真について
　ア　乙第４号証は、商品「サンスクリーンゲル（日焼け止めゲルクリーム）　５０ｇ（５０ｍＬ）」及び商品の包装箱を正面から撮影した写真である。
　イ　乙第５号証は、乙第４号証に写っている商品と商品の包装箱を背面から撮影した写真である。
　ウ　乙第６号証は、商品「サンスクリーンゲル（日焼け止めゲルクリーム）　３０ｇ（３０ｍＬ）」及び商品の包装箱を正面から撮影した写真である。
　エ　乙第７号証は、乙第６号証に写っている商品と商品の包装箱を背面から撮影した写真である。
　オ　まとめ
　乙第５号証及び乙第７号証の商品及び商品の包装箱には、本件商標と社会通念上同一の商標「Ｙｏｕ＆Ｉ　ＡＴＰ」が付されている。乙第５号証の商品及び商品の包装箱には、商品の販売元の名称及び住所として名称「ＹＯＵ＆Ｉ株式会社」及び住所「大阪市中央区南船場４−７−６」が記載されている。乙第７号証の商品及び商品の包装箱には、商品の製造販売元の名称及び住所として名称「ＹＯＵ＆Ｉ株式会社」及び住所「大阪市中央区南船場４−７−６」が記載されている。当該名称及び住所は、通常使用権者であるＹＯＵ＆Ｉ社の名称及び住所と一致している。
（３）「サンスクリーンゲル」等が商品の内容等を表示する語であることについて
　ア　乙第５号証には、商品の包装箱の上部に「Ｙｏｕ＆Ｉ　ＡＴＰ」、「サンスクリーンゲル」、「ＳＰＦ５０／ＰＡ＋＋＋」、「ウォータープルーフ」、「（日焼け止めゲルクリーム）」及び「５０ｇ」の文字が６段に併記して大きく記載されている。また、商品の上部に「Ｙｏｕ＆Ｉ　ＡＴＰ」、「サンスクリーンゲル」、「（日焼け止めゲルクリーム）」及び「５０ｇ」の文字が４段に併記して大きく記載されている。
　イ　乙第７号証には、商品の包装箱の上部に「Ｙｏｕ＆Ｉ　ＡＴＰ」「サンスクリーンゲル」、「ＳＰＦ５０＋　ＰＡ＋＋＋＋」、「ウォータープルーフ」「（日焼け止めゲルクリーム）」及び「３０ｇ」の文字が６段に併記して大きく記載されている。また、商品の上部に「Ｙｏｕ＆Ｉ　ＡＴＰ」「サンスクリーンゲル」「（日焼け止めゲルクリーム）」及び「３０ｇ」の文字が４段に併記して大きく記載されている。
　そして、上記の商品の包装箱又は商品に記載されている「サンスクリーンゲル」、「ＳＰＦ５０／ＰＡ＋＋＋」、「ＳＰＦ５０＋　ＰＡ＋＋＋＋」、「ウォータープルーフ」、「（日焼け止めゲルクリーム）」、「５０ｇ」及び「３０ｇ」の文字は、商品の内容等を表示する語に該当する。
　ウ　「サンスクリーンゲル」の文字は、「（日焼け止めゲルクリーム）」の文字が併記されていることを考慮すると、英文字「ｓｕｎｓｃｒｅｅｎ　ｇｅｌ」を仮名文字で表記したものとして需要者に認識される。そして、「ｓｕｎｓｃｒｅｅｎ」は、「日焼け止め剤」を意味する英単語である（乙第８号証）。
　エ　「サンスクリーン・クリーム（ｓｕｎｓｃｒｅｅｎ　ｃｒｅａｍ）」は「日焼け止めクリーム」を意味する語として一般に認知されている（乙第９号証）。
　オ　「商品・サービス国際分類表（第１０−２０１４版）」に掲載されている指定商品「日焼け止め用化粧品」の英語訳として「ｓｕｎｓｃｒｅｅｎ　ｐｒｅｐａｒａｔｉｏｎｓ」が採用されている（乙第１０号証）。
　カ　「類似商品・役務審査基準（国際分類第１０−２０１４版対応）」に掲載されている指定商品「日焼け止めクリーム」の英語訳として「Ｓｕｎｓｃｒｅｅｎ　ｃｒｅａｍｓ」が採用されている（乙第１０号証）。
　その上、「ゲル（Ｇｅｌ）」は、「コロイド溶液が流動性を失い、多少の弾性と固さをもってゼリー状に固化したもの。」（乙第１１号証）を意味する語であり、ゲル状の商品を指称する語として一般的に使用されているだけでなく、「特許電子図書館（ＩＰＤＬ）」の「商品・役務名リスト」に「日焼け止め用ゲル状化粧品」が指定商品の採用例として掲載されている（乙第１０号証）。
　キ　乙第５号証及び乙第７号証の商品及び商品の包装箱に記載されている「サンスクリーンゲル」の文字は「（日焼け止めゲルクリーム）」の文字が併記されていることも考慮すると、「日焼け止めゲルクリーム」又は「日焼け止め用ゲル状化粧品」を意味する語として需要者に認識される。
　ク　「ＳＰＦ５０／ＰＡ＋＋＋」及び「ＳＰＦ５０＋　ＰＡ＋＋＋＋」を構成する文字「ＳＰＦ」は「ｓｕｎ　ｐｒｏｔｅｃｔｉｏｎ　ｆａｃｔｏｒ」の略語であり、日焼け止めオイルや化粧品が、ＵＶＢ（紫外線Ｂ波）を防止する効果を示す数値である（乙第１２号証）。また、「ＰＡ」は「ｐｒｏｔｅｃｔｉｏｎ　ｇｒａｄｅ　ｏｆ　ＵＶＡ」の略語であり、日焼け止め化粧品のＵＶＡ（紫外線Ａ波）を防止する効果を示す値である。また、「ＰＡ」は＋、＋＋、＋＋＋、＋＋＋＋の４段階で効果の強さを示す（乙第１３号証）。このため、「ＳＰＦ５０／ＰＡ＋＋＋」及び「ＳＰＦ５０＋　ＰＡ＋＋＋＋」は、商品「日焼け止めゲルクリーム」の品質を表示する語として需要者に認識される。
　ケ　「ウォータープルーフ」は「防水性。耐水性。」を意味する語である（乙第１４号証）。そして、水に落ちにくい日焼け止め用化粧品が流通していることを考慮すると、「ウォータープルーフ」も商品「日焼け止めゲルクリーム」又は「日焼け止め用ゲル状化粧品」の品質を表示する語に該当する。
　コ　「５０ｇ」及び「３０ｇ」は、商品「日焼け止めゲルクリーム」又は「日焼け止め用ゲル状化粧品」の内容量を表示する語として需要者に認識される。
（４）商品「サンスクリーンゲル（日焼け止めゲルクリーム）」が本件商標の指定商品に含まれていることについて
　「特許電子図書館（ＩＰＤＬ）」の「商品・役務名リスト」において商品「日焼け止め用ゲル状化粧品」が、第３類の類似群コード「０４Ｃ０１」に対応する商品として掲載されている（乙第１０号証）。また、「類似商品・役務審査基準（国際分類第１０−２０１４版対応）」において、商品「日焼け止めクリーム」が指定商品「化粧品」に含まれる商品として掲載されている（乙第１５号証）。
　したがって、乙第４号証ないし乙第７号証の商品「サンスクリーンゲル（日焼け止めゲルクリーム）」は、本件商標の指定商品「化粧品」に該当する。
（５）「Ｙｏｕ＆Ｉ　ＡＴＰ」が商標として認識されることについて
　商品「日焼け止めゲルクリーム」及び「日焼け止め用ゲル状化粧品」等の化粧品は肌につける商品であるから、商品に含まれている成分等を需要者は注意深く確認してから購入する商品である。
　よって、乙第５号証及び乙第７号証の商品及び商品の包装箱の背面を見た需要者は、「Ｙｏｕ＆Ｉ　ＡＴＰ」の部分を商標として認識する。
（６）使用商標「Ｙｏｕ＆Ｉ　ＡＴＰ」が本件商標と社会通念上同一と認められる商標であることについて
　本件商標は、黒色の明朝体の文字で「ＹＯＵ＆Ｉ　ＡＴＰ」を横書きに書してなるものである。一方、乙第５号証及び乙第７号証の商品及び商品の包装箱には、ピンク色又は赤色のゴシック体の文字で「Ｙｏｕ＆Ｉ　ＡＴＰ」と記載されている。
　つまり、本件商標と使用商標は、文字の色、文字の書体及び「ＯＵ」の部分の大文字と小文字が相違する。しかしながら、使用商標は、本件商標と社会通念上同一と認められる商標である。
　したがって、乙第５号証及び乙第７号証の商品及び商品の包装箱に付されている商標「Ｙｏｕ＆Ｉ　ＡＴＰ」は、本件商標と社会通念上同一と認められる商標に該当する。
（７）商品「クリーム」の写真について
　ア　乙第１７号証は、商品「クリーム」を正面から撮影した写真である。乙第１８号証は、乙第１７号証に写っている商品を左側面から撮影した写真である。
　イ　乙第１８号証の商品には、本件商標と社会通念上同一の商標「ユーアンドアイＡＴＰ」が付されている。また、商品の説明として「弱油性クリーム」と記載されている。さらに、商品の発売元として記載されている名称及び住所は、通常使用権者であるＹＯＵ＆Ｉ社の名称及び住所と一致している。
　したがって、乙第１８号証の商品に付されている商標は、本件商標と社会通念上同一と認められる商標に該当する。
（８）商品「リップグロス」の写真について
　ア　乙第１９号証は、商品「リップグロス」を正面から撮影した写真である。乙第２０号証は、乙第１９号証に写っている商品の蓋を開けた状態を撮影した写真である。
　イ　乙第２１号証は、乙第２０号証に写っている商品を背面から撮影した写真である。
　乙第２１号証の商品には、本件商標と同一の商標「ＹＯＵ＆Ｉ　ＡＴＰ」が付されている。また、商品の発売元として記載されている名称及び住所は、通常使用権者であるＹＯＵ＆Ｉ社の名称及び住所と一致している。
　乙第２１号証の商品には、「ＹＯＵ＆Ｉ　ＡＴＰリップグロス」及び「ＮＥＴ　１．５ｇ」の文字が２段に併記して記載されている。また、商品に記載されている「リップグロス」の文字は、商品の内容を表示する語として需要者に認識される。さらに、「ＮＥＴ　１．５ｇ」は、商品の正味の重量を表示する語として需要者に認識される。
（９）商標権者が頒布しているカタログについて
　乙第２２号証ないし乙第２９号証は、「Ｂｅａｕｔｙ　Ｓｔａｒ（ビューティースター）」と称する美容業界専門カタログである。商標権者は、当該カタログを制作して日本全国のエステティックサロンに頒布している。
　また、商標権者の営業を担当する従業者が、当該カタログを頒布するとともに、カタログに掲載している商品について、エステティックサロンの経営者等に説明を行なっている。さらに、化粧品等の商品については、商品自体をエステティックサロンの経営者等にお試しとして一定量配布し、効果を体感してもらっている。そして、商品の内容について理解したエステティックサロンの経営者等から、電話又はＦＡＸで当該カタログに掲載されている商品の注文を受けている。
　乙第２２号証ないし乙第２９号証のカタログの表紙には、商標権者の名称及び住所が記載されているとともに、商品の注文先の電話番号及びＦＡＸ番号が記載されている。
　したがって、乙第２２号証ないし乙第２９号証のカタログは、商標法第２条第３項第８号の「取引書類」に該当する。また、乙第２３号証ないし乙第２８号証のカタログの発行日より、乙第２３号証ないし乙第２８号証は、本件審判の請求の予告登録日前３年以内に日本国内で頒布されていたことが分かる。
（１０）商品「サンスクリーンゲル（日焼け止めゲルクリーム）」のカタログにおける記載について
　ア　乙第４号証の商品「サンスクリーンゲル（日焼け止めゲルクリーム）　５０ｇ（５０ｍＬ）」と同じ商品の写真が、乙第２２号証（２０１０年冬発行のカタログの写し）の第４頁、乙第２３号証（２０１１年７月１日発行のカタログの写し）の第２０頁、乙第２５号証（２０１２年５月１日発行のカタログの写し）の第３頁、乙第２６号証（２０１２年１２月１日発行のカタログの写し）の第９頁及び乙第２７号証（２０１３年５月１日発行のカタログの写し）の第２６頁に掲載されている。また、上記の頁には、商品名、容量及びサロン価格として、「ＡＴＰ　サンスクリーンゲル」、「５０ｍＬ」及び「１，９８０円」と記載されている。
　イ　乙第６号証の商品「サンスクリーンゲル（日焼け止めゲルクリーム）　３０ｇ（３０ｍＬ）」と同じ商品の写真が、乙第２８号証（２０１３年１０月１日発行のカタログの写し）の第２５頁及び乙第２９号証（２０１４年４月１日発行のカタログの写し）の第２３頁に掲載されている。また、乙第２９号証の第２３頁には、商品名、容量及びサロン価格として、「ＡＴＰ　サンスクリーンゲル」、「３０ｍＬ」及び「１，６５０円」と記載されている。
（１１）商品「クリーム」のカタログにおける記載について
　乙第１７号証の商品「クリーム」と同じ商品の写真が、乙第２２号証（２０１０年冬発行のカタログの写し）の第３頁、乙第２３号証（２０１１年７月１日発行のカタログの写し）の第１９頁、乙第２４号証（２０１２年４月１日発行のカタログの写し）の第３２頁、乙第２５号証（２０１２年５月１日発行のカタログの写し）の第８頁、乙第２６号証（２０１２年１２月１日発行のカタログの写し）の第９頁、乙第２７号証（２０１３年５月１日発行のカタログの写し）の第３４頁及び乙第２９号証（２０１４年４月１日発行のカタログの写し）の第１７頁に掲載されている。
　上記のカタログの各頁に記載されている商標は、本件商標と社会通念上同一と認められる商標に該当する。
（１２）商品「リップグロス」のカタログにおける記載について
　ア　乙第１９号証の商品「リップグロス」と同じ商品の写真が、乙第２２号証（２０１０年冬発行のカタログの写し）の第１頁及び乙第２６号証（２０１２年１２月１日発行のカタログの写し）の第２頁に掲載されている。また、乙第２０号証の商品「リップグロス」と同じ商品の写真が、乙第２２号証（２０１０年冬発行のカタログの写し）の第１頁に掲載されている。
　イ　乙第２２号証の第１頁には、商品名及びサロン価格として、「セイザオリジナルリップグロス」及び「６００円」と記載されている。
（１３）通常使用権者の本件商標の使用について
　乙第４号証及び乙第５号証の商品「サンスクリーンゲル（日焼け止めゲルクリーム）　５０ｇ（５０ｍＬ）」、乙第６号証及び乙第７号証の商品「サンスクリーングル（日焼け止めゲルクリーム）　３０ｇ（３０ｍＬ）」、乙第１７号証及び乙第１８号証の商品「クリーム」並びに乙第１９号証ないし乙２１号証の商品「リップグロス」には、発売元又は製造販売元の名称及び住所として、本件商標の通常使用権者であるＹＯＵ＆Ｉ社の名称及び住所が記載されている。
　また、上記商品には、本件商標と同一又は社会通念上同一の商標が付されている。さらに、上記商品は、本件商標の指定商品「化粧品」に該当する商品である。
　その上、本件審判の請求の予告登録日前３年以内に頒布された乙第２３号証ないし乙第２８号証の商品を販売することを目的としたカタログに上記商品が掲載されている。つまり、本件審判の請求の予告登録日前３年以内に上記商品が日本国内で製造されていたことが分かる。
　したがって、本件商標の通常使用権者であるＹＯＵ＆Ｉ社は、本件審判の請求の予告登録日前３年以内に日本国内において本件審判の請求に係る指定商品中「化粧品」について商標法第２条第３項第１号に該当する本件商標の使用をしている。
　また、ＹＯＵ＆Ｉ社は主に商品の製造を行い、商標権者はＹＯＵ＆Ｉ社が製造した商品を譲渡（販売）している。
　したがって、本件商標の通常使用権者であるＹＯＵ＆Ｉ社は、本件審判の請求の予告登録日前３年以内に日本国内において本件審判の請求に係る指定商品中「化粧品」について商標法第２条第３項第２号に該当する本件商標の使用をしている。
（１４）商標権者が商品「サンスクリーンゲル（日焼け止めゲルクリーム）」を譲渡したことの証明について
　ア　乙第３０号証ないし乙第３９号証は、商標権者が乙第４号証及び乙第５号証の商品「サンスクリーンゲル（日焼け止めゲルクリーム）　５０ｇ（５０ｍＬ）」並びに乙第６号証及び乙第７号証の商品「サンスクリーンゲル（日焼け止めゲルクリーム）　３０ｇ（３０ｍＬ）」を日本国内の需要者に譲渡したことを証明する資料である。
　乙第３０号証ないし乙第３２号証は、商標権者が２０１３年５月３０日に商品「サンスクリーンゲル（日焼け止めゲルクリーム）　５０ｇ（５０ｍＬ）」を「アイメイク　みれーゆ」宛てに発送し、１本あたり１，９８０円の価格で１０本譲渡したことを証明する資料である。
　乙第３０号証（２０１３年５月３０日付の納品書兼請求書（控）の写し）は、商標法第２条第３項第８号の「取引書類」に該当する。そして、該取引書類の中央部には、商標権者が納品した商品の品名、数量及び単価として、「ＹＯＵ＆Ｉ　ＡＴＰサンスクリーンジェル」、「１０」及び「１，９８０」と記載され、商品の品名を見た需要者は、「ＹＯＵ＆Ｉ　ＡＴＰ」の部分を商標として認識する。よって、「取引書類」である乙第３０号証には、本件商標と同一の商標が付されている。
　乙第４号証の商品の写真と、乙第２２号証の第４頁、乙第２３号証の第２０頁、乙第２５号証の第３頁、乙第２６号証の第９頁及び乙第２７号証の第２６頁のカタログの各頁に掲載されている商品の写真は同じである。また、乙第３０号証の商品の単価「１，９８０」と上記カタログに掲載されている商品のサロン価格「１，９８０円」が同一である。
　よって、上記のカタログの各頁に掲載されている商品と乙第３０号証に記載されている商品の品名が同一の商品「サンスクリーンゲル（日焼け止めゲルクリーム）５０ｇ（５０ｍＬ）」を示すことは明らかである。
　乙第３０号証の右下部には、商標権者が納品した商品の総額として「２７，０９０」と記載されている。
　イ　乙第３１号証（２０１３年５月３１日付の宅急便コレクトの代金引換の発送伝票の発送元控の写し）には、お届け先の氏名として「アイメイク　みれーゆ」と記載されている。また、代金引換額として「２７０９０」が記載されている。当該氏名及び代金引換額は、乙第３０号証に記載されている宛名及び商標権者が納品した商品の総額と一致している。乙第３１号証には、お問い合わせ送り状番号として「３６１２−２７０８−６１９４」と記載されている。
　ウ　乙第３２号証（ヤマトフィナンシャル株式会社が発行した２０１３年６月５日が振り込み日となっているご精算書の写し）の第２頁には、原票ナンバー「３６１２２７０８６１９４」の商品代金として「２７０９０」と記載されている。当該原票ナンバーと商品代金の金額は、乙第３１号証のお問い合わせ送り状番号及び代金引換額と一致している。
　エ　乙第３３号証（商標権者が発行した２０１４年１０月２１日付の商品「ＹＯＵ＆Ｉ　ＡＴＰサンスクリーンゲル」の２０１３年度の売上明細表の写し）の第２頁には、２０１３年５月３０日に「アイメイク　みれーゆ」に対して、「ＹＯＵ＆Ｉ　ＡＴＰサンスクリーンジェル５０ｇ（５０ｍＬ）」を１本あたり１，９８０円の価格で１０本譲渡したことが記載されている。
　オ　乙第３０号証ないし乙第３３号証の記載より、商標権者が２０１３年５月３０日に商品「サンスクリーンゲル（日焼け止めゲルクリーム）　５０ｇ（５０ｍＬ）」を日本国内に所在する「アイメイク　みれーゆ」宛てに発送し、１本あたり１，９８０円の価格で１０本譲渡したことが分かる。
　カ　乙第３３号証ないし乙第３６号証の記載より、商標権者が２０１３年６月１８日に商品「サンスクリーンゲル（日焼け止めゲルクリーム）　５０ｇ（５０ｍＬ）」を日本国内に所在する「美顔メディカルサロン　うらら」宛てに発送し、１本あたり１，９８０円の価格で６本譲渡したことが分かる。
　キ　乙第３３号証及び乙第３７号証ないし乙第３９号証の記載より、商標権者が２０１３年７月３日に商品「サンスクリーンゲル（日焼け止めゲルクリーム）　５０ｇ（５０ｍＬ）」を日本国内に所在する「コスメティック　Ｋｅｉ」宛てに発送し、１本あたり１，９８０円の価格で５本譲渡したことが分かる。
　ク　乙第３３号証の記載から、商標権者が乙第４号証及び乙第５号証の商品「サンスクリーンゲル（日焼け止めゲルクリーム）　５０ｇ（５０ｍＬ）」並びに乙第６号証及び乙第７号証の商品「サンスクリーンゲル（日焼け止めゲルクリーム）　３０ｇ（３０ｍＬ）」を継続的に譲渡していることが分かる。
（１５）商標権者が商品「クリーム（ＹＯＵ＆Ｉ　ＡＴＰ　美プラス）」を譲渡したことの証明について
　ア　乙第４０号証ないし乙第４９号証は、商標権者が乙第１７号証及び乙第１８号証の商品「クリーム（ＹＯＵ＆Ｉ　ＡＴＰ　美プラス）」を日本国内の需要者に譲渡したことを証明する資料である。
　イ　乙第４０号証ないし乙第４３号証の記載より、商標権者が２０１３年７月１７日に商品「クリーム（ＹＯＵ＆Ｉ　ＡＴＰ　美プラス）」を日本国内に所在する「Ｒｅ：ｐｏｓｅｒ（ルポゼ）」宛てに発送し、１本あたり３，２００円の価格で１０本譲渡したことが分かる。
　ウ　乙第４３号証ないし乙第４６号証の記載より、商標権者が２０１３年８月５日に商品「クリーム（ＹＯＵ＆Ｉ　ＡＴＰ　美プラス）」を日本国内に所在する「ピュルテ　高間」宛てに発送し、１本あたり３，２００円の価格で１０本譲渡したことが分かる。
　エ　乙第４３号証及び乙第４７号証ないし乙第４９号証の記載より、商標権者が２０１３年８月２８日に商品「クリーム（ＹＯＵ＆Ｉ　ＡＴＰ　美プラス）」を日本国内に所在する「アランチャンティック」宛てに発送し、１本あたり３，２００円の価格で６本譲渡したことが分かる。
　さらに、乙第４３号証の記載から、商標権者が乙第１７号証及び乙第１８号証の商品「クリーム（ＹＯＵ＆Ｉ　ＡＴＰ　美プラス）」を継続的に譲渡していることが分かる。
（１６）商標権者が商品「リップグロス」を譲渡したことの証明について
　ア　乙第５０号証ないし乙第５６号証は、商標権者が乙第１９号証ないし乙第２１号証の商品「リップグロス」を日本国内の需要者に譲渡又は配布したことを証明する資料である。
　イ　乙第５０号証ないし乙第５３号証の記載から、商標権者が２０１１年１月２８日に商品「リップグロス」を日本国内に所在する「ローズマリー」宛てに発送し、１個あたり６００円の価格で５個譲渡したことが分かる。
　ウ　乙第５４号証ないし乙第５６号証の記載から、商標権者が２０１３年６月１０日に商品「リップグロス」を日本国内に所在する「稲田むつ子」宛てに１個発送したことが分かる。
　エ　乙第５３号証（商標権者が発行した２０１４年１０月２３日付の商品「ＹＯＵ＆Ｉ　ＡＴＰリップグロス」の２０１１年ないし２０１３年までの売上明細表の写し）の記載から、商標権者から一定金額以上の商品を購入した需要者に対して、商標権者が商品「リップグロス」を継続的に配布していることが分かる。
　オ　乙第５０号証「取引書類」及び乙第５４号証「納品書兼請求書（控）の写し」には、本件商標と同一の商標が付されている。
（１７）商標権者の本件商標の使用について
　以上のことから、商標権者は、商品「化粧品」に関する「取引書類」にあたる商品カタログ及び納品書兼請求書（控）に本件商標と同一又は社会通念上同一の商標を付して、本件審判の請求の予告登録日前３年以内に日本国内で頒布していることが分かる。
　したがって、商標権者は、本件審判の請求の予告登録日前３年以内に日本国内において本件審判の請求に係る指定商品中「化粧品」について商標法第２条第３項第８号に該当する本件商標の使用をしている。
　また、上記より、商標権者は、商品「化粧品」及び商品「化粧品」の包装箱に本件商標と同一又は社会通念上同一の商標を付したものを本件審判の請求の予告登録日前３年以内に日本国内で譲渡していることが分かる。
　したがって、商標権者は、本件審判の請求の予告登録日前３年以内に日本国内において本件審判の請求に係る指定商品中「化粧品」について商標法第２第３項第２号に該当する本件商標の使用をしている。　
　
４　当審の判断
（１）被請求人が提出した証拠及び主張によれば、以下の事実が認められる。
　ア　乙第１号証及び乙第２号証は、商標権者及びＹＯＵ＆Ｉ社の「履歴事項全部証明書」であるところ、両者は、代表取締役及び本店の住所を同じくするものであり、乙第３号証は、平成２２年３月１７日付けの「使用許諾書」であるところ、商標権者がＹＯＵ＆Ｉ社に対して、商品「化粧品，洗顔料，せっけん類」について、商標「ＹＯＵ＆Ｉ　ＡＴＰ」の使用を許諾する旨の記載がある。なお、本件使用許諾書には、特に有効期限等の記載はない。
イ　乙第４号証及び乙第５号証は、商品「サンスクリーンゲル（日焼け止めゲルクリーム）　５０ｇ」（以下「使用商品」という。）の容器及び外箱を並べて撮影した正面及び背面の各写真と認められるところ、当該商品の容器及び外箱の正面（乙第４号証）には、上から順に、「ＡＴＰ」、「ＰＵＲＤＥＵＸＭＯＲ」、「ＳＵＮ　ＳＣＲＥＥＮ　ＧＥＬ」、「ＮＥＴ　５０ｇ」、「ＳＰＦ５０」及び「ＰＡ＋＋＋」等の記載がある。また、当該商品の外箱の背面（乙第５号証）には、上から順に、「Ｙｏｕ＆Ｉ　ＡＴＰ」（以下「使用商標」という。）、「サンスクリーンゲル」、「ＳＰＦ５０／ＰＡ＋＋＋」、「ウォータープルーフ」、「（日焼け止めゲルクリーム）」、「５０ｇ」、「３，７８０円（本体価格３，６００円）」及び「発売元　ＹＯＵ＆Ｉ株式会社」等の記載がある。
　ウ　乙第２７号証は、「Ｂｅａｕｔｙ　Ｓｔａｒ（ビューティースター）美容業界専門カタログ　２０１３年５月１日発行第３９巻第２号株式会社セイザ」と記載されたカタログと認められるところ、表紙には、「決算（お得）キャンペーン」、「株式会社セイザ　大阪市中央区南船場４−７−６」の記載があり、２葉目の最上部には、「決算キャンペーン」、「お買い上げ合計１０，０００円（税抜）ごとにダイエットキャンディ１袋プレゼント！全商品対象！！」、「カロット」及び「６月末まで」と並べて横書きされ、その左下に「ＡＴＰ　サンスクリーンゲル（日焼け止めゲルクリーム）」、「１０本購入で２本プレゼント！６月末まで」、「５０ｍＬ」、「希望小売価格３，７８０円（税込）サロン価格１，９８０円（税抜）」の記載がある。そして、それらの記載の右側には、乙第４号証と同一の商品の容器（正面）と認められる写真が掲載されている。
　エ　乙第３０号証は、商標権者「株式会社セイザ」から茨城県石岡市の「アイメイク　みれーゆ」に宛てた納品書兼請求書（控）と認められるところ、上部日付欄に「２０１３年０５年３０日」、伝票番号欄に「６８７７６３」と記載され、納品物の一覧を記載する欄には、Ｎｏ．２の品番・品名、数量、単位、単価及び金額欄には、それぞれ、「ＹＯＵ＆Ｉ　ＡＴＰサンスクリーンジェル」、「１０」、「本」、「１，９８０」及び「１９，８００」と記載され、また、Ｎｏ．３の品番・品名、数量及び単位欄には、それぞれ、「ＹＯＵ＆Ｉ　ＡＴＰサンスクリーンジェルプレゼント」、「２」及び「本」と記載され、さらに、Ｎｏ．５の品番・品名及び数量欄には、それぞれ、「カロット（ダイエットキャンディ）１袋プレゼント・決算キャンペ−ン〈税抜￥１０，０００購入ゴトノ場合・’１３年６月末マデ〉」及び「２」と記載されており、これら以外の納品物と合算した総額欄には「２７，０９０」（税込）の記載がある。
　オ　乙第３１号証は、２０１３年５月３１日付けの宅急便コレクトの代金引換の発送伝票と認められるところ、お届け先欄に「茨城県石岡市・・・　アイメイク　みれーゆ」、発送元欄に「大阪市中央区南船場４−７−６　（株）セイザ」と記載され、お問い合わせ送り状番号欄に「３６１２−２７０８−６１９４」、届け日希望欄に「５月３１日」（時間帯については、「午前中」欄に○（丸印）が付いている。）、品名欄に「日用雑貨（美容材）粘着ロット＆サンスクリーンゲルなど在中　荷主伝票Ｎｏ．６８７７６３」、代金引換額（税込）欄に「２７０９０円」の記載がある。
　カ　乙第３２号証は、「ヤマトフィナンシャル株式会社」から商標権者「株式会社セイザ」に宛てた精算書と認められるところ、２葉目の発送日欄に「０５３０」、原票ナンバー欄に「３６１２２７０８６１９４」、商品代金欄に「２７０９０」、配達店欄に「石岡東石」，摘要欄に「みれーゆ」の記載がある。
　キ　以上によれば、商標権者「株式会社セイザ」は、茨城県石岡市の「アイメイク　みれーゆ」に、２０１３年（平成２５年）５月３１日の午前中に商品を納品できるようにした上で、使用商品を、サロン価格で販売（譲渡）したものと推認できる。
（２）上記（１）で認定した事実によれば、以下のとおり判断できる。
　ア　商標権者は、Ｙｏｕ＆Ｉ社に対して、商品「化粧品，洗顔料，せっけん類」について、商標「ＹＯＵ＆Ｉ　ＡＴＰ」の使用を許諾していることが認められるから（乙第３号証）、Ｙｏｕ＆Ｉ社は、本件商標の通常使用権者であると認めるのが相当である。
　イ　使用商品は、本件請求に係る指定商品中「化粧品」の範ちゅうに含まれる商品である。
　ウ　乙第５号証の使用商品の外箱には、使用商標「Ｙｏｕ＆Ｉ　ＡＴＰ」が付されている。　
　エ　使用商標と本件商標とは、「ｏｕ」と「ＯＵ」の文字部分で小文字と大文字といった差異はあるものの、本件商標と同一の綴りからなるものであるから社会通念上同一のものと認められる。
　オ　商標権者が茨城県石岡市の「アイメイク　みれーゆ」に宅急便コレクトの代金引換で使用商品を発送した２０１３年（平成２５年）５月３０日及び同商品が「アイメイク　みれーゆ」に代金引換で届けられたものと推認できる同月３１日は、いずれも本件審判の請求の登録前３年以内である。
　カ　以上のとおり、被請求人（商標権者）は、本件審判の請求の登録前３年以内に日本国内において、通常使用権者が、請求に係る指定商品中「化粧品」に含まれる使用商品について、本件商標と社会通念上同一と認められる商標を使用していたことを証明したものと認められる。
（３）結び
　以上のとおりであるから、被請求人（商標権者）は、本件審判の請求の登録前３年以内に日本国内において通常使用権者がその請求に係る指定商品の範ちゅうに属する商品について本件商標（社会通念上同一と認められる商標を含む。）の使用をしていることを証明したといわなければならない。
　したがって、本件商標の登録は、請求に係る指定商品について、商標法第５０条の規定により、取り消すべき限りでない。
　よって、結論のとおり審決する。